(57)【特許請求の範囲】
【請求項１】
画面映像信号の輪郭成分を補正する輪郭補正回路であって、
前記画面映像信号から輪郭成分を抽出する輪郭成分抽出部と、
前記輪郭成分の振幅と閾値とを比較する比較器と、
前記比較結果に基づいて、前記輪郭成分の振幅を調整し、輪郭補正量を算出する輪郭補正量算出部と、
前記輪郭補正量から特定の輪郭補正を行う映像領域の輪郭補正量を抽出する領域抽出部と、
前記映像領域の上下左右端である映像端領域を、前記画面映像信号の輪郭成分の補正範囲として判定する輪郭成分補正範囲判定部と、
前記領域抽出部で抽出された輪郭補正量を、前記補正範囲の上下左右端の各映像端領域の始点と終点との振幅値を直線で結ぶ直線リミッタ処理にて補正する輪郭成分直線リミッタ補正処理部と、
前記画面映像信号と前記輪郭成分直線リミッタ補正処理部で生成された輪郭補正量とを合成させるゲインコントローラとを備える、輪郭補正回路。
【請求項２】
画面映像信号の輪郭成分を補正する輪郭補正回路であって、
前記画面映像信号から輪郭成分を抽出する輪郭成分抽出部と、
前記輪郭成分の振幅と閾値とを比較する比較器と、
前記比較結果に基づいて、前記輪郭成分の振幅を調整し、輪郭補正量を算出する輪郭補正量算出部と、
前記輪郭補正量から特定の輪郭補正を行う映像領域の輪郭補正量を抽出する領域抽出部と、
前記映像領域の上下左右端である映像端領域を、前記画面映像信号の輪郭成分の補正範囲として判定する輪郭成分補正範囲判定部と、
前記領域抽出部で抽出された輪郭補正量を、前記補正範囲の上下左右端の各映像端領域の始点と終点との振幅値をγ曲線で結ぶγ曲線リミッタ処理にて補正する輪郭成分γ曲線リミッタ補正処理部と、
前記画面映像信号と前記輪郭成分γ曲線リミッタ補正処理部で生成された輪郭補正量とを合成させるゲインコントローラとを備える、輪郭補正回路。
【請求項３】
画面映像信号の輪郭成分を補正する輪郭補正回路であって、
前記画面映像信号から輪郭成分を抽出する輪郭成分抽出部と、
前記輪郭成分の振幅と閾値とを比較する比較器と、
前記比較結果に基づいて、前記輪郭成分の振幅を調整し、輪郭補正量を算出する輪郭補正量算出部と、
前記輪郭補正量から特定の輪郭補正を行う映像領域の輪郭補正量を抽出する領域抽出部と、
前記映像領域の上下左右端である映像端領域を、前記画面映像信号の輪郭成分の補正範囲として判定する輪郭成分補正範囲判定部と、
前記領域抽出部で抽出された輪郭補正量を、前記補正範囲の上下左右端の各映像端領域の振幅値を平均化する平均リミッタにて補正する輪郭成分平均リミッタ補正処理部と、
前記画面映像信号と前記輪郭成分平均リミッタ補正処理部で生成された輪郭補正量とを合成させるゲインコントローラとを備える、輪郭補正回路。
【請求項４】
テレビジョン信号を構成する映像信号と音声信号との復調を行って、映像と音声を出力する放送受信装置であって、
放送経路を介して前記テレビジョン信号を受信するテレビジョン信号受信部と、
前記映像信号を復調する映像信号処理部と、
前記音声信号を復調する音声信号処理部と、
操作者の指示を受け付ける指示入力部と、
前記指示入力部からの入力と、現在の状態とから実行すべき処理を導くイベント管理部とを備え、
前記映像信号処理部は、請求項１〜請求項３に記載のいずれかの輪郭補正回路を備えることを特徴とする、放送受信装置。
【発明の詳細な説明】
【技術分野】
【０００１】
本発明は、テレビ等における画面映像信号の輪郭成分を補正し、画像の鮮鋭度を向上させる輪郭補正回路に関する。
【背景技術】
【０００２】
近年、テレビ等の映像の画像品質が要求されている。先ず、従来からテレビで実現されているシステム構成を説明する。図１５は、従来技術におけるテレビのシステム構成の一例であるテレビシステム１００を示す図である。テレビシステム１００は、リモコンコード解読部１０１と、イベント管理部１０２と、記憶部１０３と、テレビ制御部１０４と、オンスクリーン表示処理部１０５と、映像合成処理部１０６と、ビデオブランキング情報（ＶＢＩ）信号データ抜き取り部１０７と、画面字幕制御部１０８と、画面チューナー１０９と、画面映像信号処理部１１０と、画面音声信号処理部１１１とから構成される。
【０００３】
画面チューナー１０９は、アンテナからの映像／音声信号を受信し、画面音声信号処理部１１１に音声信号を出力し、ＶＢＩ信号データ抜き取り部１０７および画面映像信号処理部１１０にそれぞれ映像信号を出力する。画面音声信号処理部１１１は、画面チューナー１０９からの音声信号を処理し、スピーカーに音声を出力する。ＶＢＩ信号データ抜き取り部１０７は、画面チューナー１０９からの映像信号からＶＢＩ信号データを抜き取り、画面字幕制御部１０８に出力する。画面字幕制御部１０８は、ＶＢＩ信号データ抜き取り部１０７で抜き取ったＶＢＩ信号データから字幕データを作成する。さらに、テレビシステム１００のユーザからのリモコン操作において、リモコンコード解読部１０１は、リモコンからの送信コードを解読する。イベント管理部１０２は、リモコンコード解読部１０１からのイベントを判断し、テレビ制御部１０４にイベント指示を行う。テレビ制御部１０４は、イベント管理部１０２からの指示によってテレビシステム１００における画面表示等の制御を行う。テレビ制御部１０４が、画面字幕制御部１０８に画面字幕ＯＮ／ＯＦＦの通知をすることによって、画面字幕制御部１０８がオンスクリーン表示処理部１０５に通知する字幕データが制御される。オンスクリーン表示処理部１０５は、画面字幕制御部１０８からの字幕データとテレビ制御部１０４からの表示モード／画面モードとを変換し、画面映像信号処理部１１０にインナーオンスクリーン信号を出力し、映像合成処理部１０６にローカルオンスクリーン信号を出力する。画面映像信号処理部１１０は、オンスクリーン表示処理部１０５からのインナーオンスクリーン信号に基づいて、画面チューナー１０９からの映像信号を処理する。映像合成処理部１０６は、画面映像信号処理部１１０で生成された映像信号とオンスクリーン表示処理部１０５からのローカルオンスクリーン信号とを合成し、合成映像信号を表示装置に出力する。なお、テレビ制御部１０４と記憶部１０３とは、相互に、現状の表示モードおよび画面モードのやり取りを行っている。
【０００４】
このように、テレビシステム１００において、表示装置は、アンテナからの映像信号を表示している。この中で、表示装置に映し出される映像をより鮮鋭にするために、画面映像信号処理部１１０において、特許文献１に開示されているような輪郭補正回路が備えられている。
【０００５】
なお、図１６は、映像信号波形の一例を示す図である。図１６（ａ）〜（ｄ）において、各映像信号は、映像の水平１ラインを捉えたものである。以降においては、分かりやすく説明するために、図１６（ｂ）に示した矩形波（方形波）を例に挙げて説明する。
【０００６】
図１７は、従来技術における輪郭補正回路２００を示す図である。輪郭補正回路２００
は、輪郭成分抽出部２０１と、比較器２０２と、輪郭補正量算出部２０３と、領域抽出部２０４と、ゲインコントローラ２０５とから構成される。
【０００７】
輪郭補正回路２００において、ＣＶＢＳ（Ｃｏｍｐｏｓｉｔｅ  Ｖｉｄｅｏ  Ｂａｓｅ−ｂａｎｄ  Ｓｉｇｎａｌｉｎｇ）信号（ａ）が入力されると、輪郭成分抽出部２０１は、ＣＶＢＳ信号（ａ）から画像の輪郭成分（ｂ）を抽出し、比較器２０２に出力する。比較器２０２は、輪郭成分抽出部２０１で抽出された輪郭成分（ｂ）の振幅と閾値とを比較する。輪郭補正量算出部２０３は、比較器２０２より出力された比較結果である輪郭成分（ｃ）の振幅を調整し、輪郭補正量（ｄ）を算出する。領域抽出部２０４は、輪郭補正量算出部２０３で算出された輪郭補正量（ｄ）から特定の輪郭補正を行う映像領域を輪郭補正量（ｅ）として抽出する。ゲインコントローラ２０５は、ＣＶＢＳ信号（ａ）と領域抽出部２０４で得られた輪郭補正量（ｅ）とを合成し、輪郭補正が施された輪郭補正信号（ｆ）を出力する。
【０００８】
ＣＶＢＳ信号（ａ）から輪郭成分（ｂ）を抽出し、輪郭補正信号（ｆ）を生成する様子を具体的に説明する。図１８は、輪郭成分抽出部２０１が、入力されたＣＶＢＳ信号（ａ）から輪郭成分（ｂ）を抽出する様子を示す図である。平坦に見えるＣＶＢＳ信号（ａ）であっても、実際には微弱な雑音が含まれている場合があるため、その場合、当該抽出した輪郭成分（ｂ）の信号には、本来の輪郭成分以外に画像の平坦な部分での高域雑音などが含まれる。図１９は、比較器２０２が、閾値を超えない振幅の輪郭成分を削除する様子を示す図である。比較器２０２は、輪郭成分抽出部２０１で抽出された輪郭成分（ｂ）の振幅と閾値とを比較し、振幅が閾値を超える輪郭成分のみを輪郭成分（ｃ）として出力する。これによって、ＣＶＢＳ信号（ａ）において、本来、平坦な部分は、そこに含まれる雑音に対して、後述するような輪郭補正量が付加されないようになる。図２０は、輪郭補正量算出部２０３が、輪郭成分（ｃ）の振幅を増幅している様子を示す図である。輪郭補正量算出部２０３は、比較器２０２より出力された輪郭成分（ｃ）の振幅を増幅させ、輪郭成分の振幅の上限下限を調整し、輪郭補正量（ｄ）を生成する。図２１は、領域抽出部２０４が、輪郭補正量（ｄ）から、特定の輪郭補正を行う領域の輪郭補正量（ｅ）を抽出している様子を示す図である。領域抽出部２０４は、輪郭補正量算出部２０３より出力された輪郭補正量（ｄ）から、特定の輪郭補正を行う領域以外の輪郭補正量を削除し、特定の輪郭補正を行う領域の輪郭補正量（ｅ）を抽出している。図２２は、ゲインコントローラ２０５が、ＣＶＢＳ信号（ａ）と輪郭補正量（ｅ）とを合成させる様子を示す図である。ゲインコントローラ２０５は、ＣＶＢＳ信号（ａ）と輪郭補正量（ｅ）とを合成させることによって、輪郭補正を施した輪郭補正信号（ｆ）を生成している。
【０００９】
このように、従来技術における輪郭補正回路２００は、ＣＶＢＳ信号（ａ）から輪郭成分（ｂ）を抽出し、ＣＶＢＳ信号（ａ）と特定の輪郭補正を行う領域の輪郭補正量（ｅ）とを合成させ、輪郭補正信号（ｆ）を生成している。従って、従来技術における輪郭補正回路２００によれば、輪郭部分以外では雑音等の増加による画像の品質劣化を防ぎつつ、特定の輪郭補正を行う領域では、輪郭成分の補正によって画像の鮮鋭度を向上させることが可能となる。
【特許文献１】特開平４−１７５０７１号公報
【発明の開示】
【発明が解決しようとする課題】
【００１０】
しかしながら、従来技術における輪郭補正回路２００では、輪郭部分において画像の鮮鋭度を向上させるために、過剰な輪郭補正を行うことによって、映像、画面の端点にオーバーシュートが見えてしまうという問題がある。図２２において、輪郭補正信号（ｆ）は、映像信号波の立ち上がりの部分において、波形が定常値となる基線を超過するオーバーシュートが発生している。これにより、画像の品質が低下してしまうこととなる。
【００１１】
それ故に、本発明の目的は、従来技術における輪郭補正回路２００による輪郭補正処理で発生していたオーバーシュートを改善し、映像境界分の過剰な輪郭補正のない最適な輪郭補正を行い、画像の鮮鋭度を向上させる輪郭補正回路を提供することである。
【課題を解決するための手段】
【００１２】
上記目的を達成させるために、本発明の第１の輪郭補正回路は、画面映像信号の輪郭成分を補正する輪郭補正回路であって、画面映像信号から輪郭成分を抽出する輪郭成分抽出部と、輪郭成分の振幅と閾値とを比較する比較器と、比較結果に基づいて、輪郭成分の振幅を調整し、輪郭補正量を算出する輪郭補正量算出部と、輪郭補正量から特定の輪郭補正を行う映像領域の輪郭補正量を抽出する領域抽出部と、映像領域の上下左右端である映像端領域を、画面映像信号の輪郭成分の補正範囲として判定する輪郭成分補正範囲判定部と、領域抽出部で抽出された輪郭補正量を、補正範囲の上下左右端の各映像端領域の始点と終点との振幅値を直線で結ぶ直線リミッタ処理にて補正する輪郭成分直線リミッタ補正処理部と、画面映像信号と輪郭成分直線リミッタ補正処理部で生成された輪郭補正量とを合成させるゲインコントローラとを備える。
【００１３】
上記目的を達成させるために、本発明の第２の輪郭補正回路は、画面映像信号の輪郭成分を補正する輪郭補正回路であって、画面映像信号から輪郭成分を抽出する輪郭成分抽出部と、輪郭成分の振幅と閾値とを比較する比較器と、比較結果に基づいて、輪郭成分の振幅を調整し、輪郭補正量を算出する輪郭補正量算出部と、輪郭補正量から特定の輪郭補正を行う映像領域の輪郭補正量を抽出する領域抽出部と、映像領域の上下左右端である映像端領域を、画面映像信号の輪郭成分の補正範囲として判定する輪郭成分補正範囲判定部と、領域抽出部で抽出された輪郭補正量を、補正範囲の上下左右端の各映像端領域の始点と終点との振幅値をγ曲線で結ぶγ曲線リミッタ処理にて補正する輪郭成分γ曲線リミッタ補正処理部と、画面映像信号と輪郭成分γ曲線リミッタ補正処理部で生成された輪郭補正量とを合成させるゲインコントローラとを備える。
【００１４】
上記目的を達成させるために、本発明の第３の輪郭補正回路は、画面映像信号の輪郭成分を補正する輪郭補正回路であって、画面映像信号から輪郭成分を抽出する輪郭成分抽出部と、輪郭成分の振幅と閾値とを比較する比較器と、比較結果に基づいて、輪郭成分の振幅を調整し、輪郭補正量を算出する輪郭補正量算出部と、輪郭補正量から特定の輪郭補正を行う映像領域の輪郭補正量を抽出する領域抽出部と、映像領域の上下左右端である映像端領域を、画面映像信号の輪郭成分の補正範囲として判定する輪郭成分補正範囲判定部と、領域抽出部で抽出された輪郭補正量を、補正範囲の上下左右端の各映像端領域の振幅値平均化する平均リミッタにて補正する輪郭成分平均リミッタ補正処理部と、画面映像信号と輪郭成分平均リミッタ補正処理部で生成された輪郭補正量とを合成させるゲインコントローラとを備える。
【００１５】
上記目的を達成させるために、本発明の放送受信装置は、テレビジョン信号を構成する映像信号と音声信号との復調を行って、映像と音声を出力する放送受信装置であって、放送経路を介してテレビジョン信号を受信するテレビジョン信号受信部と、映像信号を復調する映像信号処理部と、音声信号を復調する音声信号処理部と、操作者の指示を受け付ける指示入力部と、指示入力部からの入力と、現在の状態とから実行すべき処理を導くイベント管理部とを備え、映像信号処理部は、上述した本発明の第１〜第３の輪郭補正回路のいずれかを備えることを特徴とする。
【発明の効果】
【００１６】
上述のように、本発明の輪郭補正回路によれば、映像画面の端点で発生していたオーバーシュートを改善し、映像境界分の過剰な輪郭補正のない最適な輪郭補正を行い、画像の
鮮鋭度を向上させる輪郭補正回路を提供することが実現可能となる。
【発明を実施するための最良の形態】
【００１７】
以下、本発明の実施形態について、図面を参照しながら説明する。
（第１の実施形態）
図１は、本発明の第１の実施形態に係る輪郭補正回路１０００を示す図である。輪郭補正回路１０００は、輪郭成分抽出部１００１と、比較器１００２と、輪郭補正量算出部１００３と、領域抽出部１００４と、ゲインコントローラ１００５と、輪郭成分補正範囲判定部１００６と、輪郭成分直線リミッタ補正処理部１００７とから構成される。
【００１８】
輪郭補正回路１０００において、ＣＶＢＳ信号（ａ）が入力されると、輪郭成分抽出部１００１は、ＣＶＢＳ信号（ａ）から画像の輪郭成分（ｂ）を抽出し、比較器１００２に出力する。比較器１００２は、輪郭成分抽出部１００１で抽出された輪郭成分（ｂ）の振幅と閾値とを比較する。輪郭補正量算出部１００３は、比較器１００２より出力された比較結果である輪郭成分（ｃ）の振幅を調整し、輪郭補正量（ｄ）を算出する。領域抽出部１００４は、輪郭補正量算出部１００３で算出された輪郭補正量（ｄ）から特定の輪郭補正を行う映像領域を輪郭補正量（ｅ）として抽出する。ここまでは、従来技術において説明した輪郭補正回路２００の輪郭成分抽出部２０１、比較器２０２、輪郭補正量算出部２０３、および領域抽出部２０４の動作と同様である。輪郭成分（ｂ）の抽出から輪郭補正量（ｅ）の生成までの様子は、従来技術において説明した図１８〜図２１と同様であるため、ここでは、詳細な説明は省略する。以下に、本発明の第１の実施形態に係る輪郭補正回路１０００が、従来技術における輪郭補正回路２００と異なる点について、詳しく述べる。
【００１９】
本発明の第１の実施形態に係る輪郭補正回路１０００は、従来技術における輪郭補正回路２００に、輪郭成分補正範囲判別部１００６と、輪郭成分直線リミッタ補正処理部１００７とを、さらに備えている。輪郭成分補正範囲判定部１００６は、ＣＶＢＳ信号（ａ）に対して画像の輪郭成分の補正範囲を判定する。輪郭成分補正範囲判定部１００６によって判定された補正範囲（ｇ）は、映像領域の上下左右端である映像端領域であり、輪郭成分直線リミッタ補正処理部１００７へ通知される。輪郭成分直線リミッタ補正処理部１００７は、補正範囲（ｇ）において、領域抽出部１００４で生成された輪郭補正量（ｅ）を補正する。図２は、輪郭成分直線リミッタ補正処理部１００７における処理を示す図である。図２の斜線部は、輪郭成分補正範囲判定部１００６によって判定された補正範囲（ｇ）である。輪郭成分直線リミッタ補正処理部１００７は、補正範囲（ｇ）において、領域抽出部１００４で生成された輪郭補正量（ｅ）を、直線に置き換える直線リミッタを用いて補正し、輪郭補正量（ｈ１）を生成する。さらに、輪郭成分直線リミッタ補正処理部１００７は、輪郭補正量（ｈ１）をゲインコントローラ１００５に出力する。
【００２０】
図３は、ゲインコントローラ１００５が、ＣＶＢＳ信号（ａ）と輪郭補正量（ｈ１）とを合成させる様子を示す図である。ゲインコントローラ１００５は、ＣＶＢＳ信号（ａ）と輪郭補正量（ｈ１）とを合成させることによって、輪郭補正を施した輪郭補正信号（ｋ１）を生成している。
【００２１】
このように、本発明の第１の実施形態に係る輪郭補正回路１０００は、ＣＶＢＳ信号（ａ）から輪郭成分（ｂ）を抽出し、従来技術における輪郭補正回路２００と同様に輪郭補正量（ｅ）を生成している。さらに、本発明の第１の実施形態に係る輪郭補正回路１０００は、ＣＶＢＳ信号（ａ）と輪郭成分直線リミッタ補正処理部１００７によって生成された輪郭補正量（ｈ１）とを合成させ、輪郭補正信号（ｋ１）を生成している。つまり、本発明の第１の実施形態に係る輪郭補正回路１０００は、ＣＶＢＳ信号（ａ）からそれぞれ画像の端点における補正範囲を判定し、画質の状態に応じてＷＩＮＤＯＷ内の輪郭成分補
正係数を変えることによって、最適な輪郭補正を行っている。
【００２２】
なお、これまでは、図１６（ｂ）に示した映像の水平１ラインを捉えた矩形波（方形波）について、輪郭補正処理を行うことを前提に説明したが、映像の垂直方向においても同様の輪郭補正処理を行っている。図５は、映像の垂直１ラインを捉えた矩形波（方形波）を示す図である。図５において、輪郭補正回路１０００は、図５に示した映像の垂直１ラインを捉えた矩形波（方形波）に対して、輪郭成分補正範囲判定部１００６よって、画像の輪郭成分の補正範囲を判定し、映像の垂直方向においても同様の輪郭補正処理を行っている。
【００２３】
以上のように、本発明の第１の実施形態に係る輪郭補正回路１０００によれば、映像画面の端点で発生していたオーバーシュートを改善し、映像境界分の過剰な輪郭補正のない最適な輪郭補正を行い、画像の鮮鋭度を向上させることができる。
【００２４】
なお、本実施形態において、ＣＶＢＳ信号（ａ）と合成させる輪郭補正量（ｈ１）の生成をすべて輪郭成分直線リミッタ補正処理部１００７で行っていたが、処理を分割させても構わない。例えば、信号セレクタを設ける構成が考えられる。図４は、本発明の第１の実施形態に係る輪郭補正回路１１００を示す図である。輪郭補正回路１１００は、図１に示した輪郭補正回路１０００に、さらに信号セレクタ１００８を備えた構成である。輪郭成分補正範囲判定部１００６は、信号セレクタ１００８に信号セレクト情報（ｉ）を通知する。信号セレクト情報（ｉ）は、輪郭成分補正範囲判定部１００６が判定した補正範囲（ｇ）の範囲内と範囲外とにおいて、それぞれ選択すべき信号を通知するための情報である。信号セレクタ１００８は、輪郭成分補正範囲判定部１００６からの信号セレクト情報（ｉ）に基づいて、補正範囲（ｇ）の範囲外であれば輪郭補正量（ｅ）を選択し、補正範囲（ｇ）の範囲内であれば輪郭補正量（ｈ１１）を選択し、輪郭補正量（ｊ１）としてゲインコントローラ１００５に出力する。この場合、輪郭成分直線リミッタ補正処理部１００７は、補正範囲（ｇ）の範囲内においてのみ動作し、輪郭補正量（ｈ１１）を信号セレクタ１００８に出力する。このように、本発明の第１の実施形態に係る輪郭補正回路１１００は、ＣＶＢＳ信号（ａ）と信号セレクタ１００８からの輪郭補正量（ｊ１）とを合成させ、輪郭補正信号（ｋ１）を生成する。従って、輪郭補正回路１１００の構成であっても、輪郭補正回路１０００と同様の効果が得られる。
【００２５】
なお、本実施形態において、分かりやすく説明するために、矩形波（方形波）における輪郭補正処理を例に挙げて説明したが、その他の映像信号においても同様に処理できることは言うまでもない。例えば、図１６（ａ）に示した映像信号の場合において、輪郭補正回路１０００は、図１６（ａ）に示した映像信号に対して、輪郭成分補正範囲判定部１００６よって、画像の輪郭成分の補正範囲を判定し、図１６（ａ）に示した映像信号の輪郭補正処理を行う。図６は、図１６（ａ）に示した映像信号の輪郭補正範囲について示す図である。図６に示したように、輪郭補正回路１０００は、輪郭成分補正範囲判定部１００６によって輪郭成分の補正範囲を判定することによって、映像画面の端点で発生していたオーバーシュートを改善し、画像の鮮鋭度を向上させることができる。
【００２６】
（第２の実施形態）
図７は、本発明の第２の実施形態に係る輪郭補正回路２０００を示す図である。輪郭補正回路２０００は、本発明の第１の実施形態に係る輪郭補正回路１０００の輪郭成分直線リミッタ補正処理部１００７の換わりに、輪郭成分γ曲線リミッタ補正処理部２００７を構成する。図７において、図１の輪郭補正回路１０００で示した同様の構成要素については、同様の参照符号を付して説明を省略する。
【００２７】
図８は、輪郭成分γ曲線リミッタ補正処理部２００７における処理を示す図である。図
８の斜線部は、輪郭成分補正範囲判定部１００６によって判定された補正範囲（ｇ）である。輪郭成分γ曲線リミッタ補正処理部２００７は、補正範囲（ｇ）において、領域抽出部１００４で生成された輪郭補正量（ｅ）を、γ曲線に置き換えるγ曲線リミッタを用いて補正し、輪郭補正量（ｈ２）を生成する。さらに、輪郭成分γ曲線リミッタ補正処理部２００７は、輪郭補正量（ｈ２）をゲインコントローラ１００５に出力する。
【００２８】
図９は、ゲインコントローラ１００５が、ＣＶＢＳ信号（ａ）と輪郭補正量（ｈ２）とを合成させる様子を示す図である。ゲインコントローラ１００５は、ＣＶＢＳ信号（ａ）と輪郭補正量（ｈ２）とを合成させることによって、輪郭補正を施した輪郭補正信号（ｋ２）を生成している。
【００２９】
なお、輪郭成分γ曲線リミッタ補正処理部２００７において生成される輪郭補正量（ｈ２）は、図８に示した波形に限られるものではない。図１０は、輪郭成分γ曲線リミッタ補正処理部２００７における処理を示す図である。輪郭成分γ曲線リミッタ補正処理部２００７は、補正範囲（ｇ）において、領域抽出部１００４で生成された輪郭補正量（ｅ）を、図８に示したγ曲線とは別のγ曲線に置き換えるγ曲線リミッタを用いて輪郭補正量（ｈ２）に補正する。図１１は、ゲインコントローラ１００５が、ＣＶＢＳ信号（ａ）と、図１０に示した輪郭補正量（ｈ２）とを合成させる様子を示す図である。ゲインコントローラ１００５は、ＣＶＢＳ信号（ａ）と輪郭補正量（ｈ２）とを合成させることによって、図９に示した波形とは別の輪郭補正信号（ｋ２）を生成している。
【００３０】
以上のように、本発明の第２の実施形態に係る輪郭補正回路２０００によれば、映像画面の端点で発生していたオーバーシュートを改善し、映像境界分の過剰な輪郭補正のない最適な輪郭補正を行い、画像の鮮鋭度を向上させることができる。
【００３１】
（第３の実施形態）
図１２は、本発明の第３の実施形態に係る輪郭補正回路３０００を示す図である。輪郭補正回路３０００は、本発明の第１の実施形態に係る輪郭補正回路１０００の輪郭成分直線リミッタ補正処理部１００７の換わりに、輪郭成分平均リミッタ補正処理部３００７を構成する。図１２において、図１の輪郭補正回路１０００で示した同様の構成要素については、同様の参照符号を付して説明を省略する。
【００３２】
図１３は、輪郭成分平均リミッタ補正処理部３００７における処理を示す図である。図１３の斜線部は、輪郭成分補正範囲判定部１００６によって判定された補正範囲（ｇ）である。輪郭成分平均リミッタ補正処理部３００７は、補正範囲（ｇ）において、領域抽出部１００４で生成された輪郭補正量（ｅ）を、輪郭補正成分の平均に置き換える平均リミッタを用いて補正し、輪郭補正量（ｈ３）を生成する。さらに、輪郭成分平均リミッタ補正処理部３００７は、輪郭補正量（ｈ３）をゲインコントローラ１００５に出力する。
【００３３】
図１４は、ゲインコントローラ１００５が、ＣＶＢＳ信号（ａ）と輪郭補正量（ｈ３）とを合成させる様子を示す図である。ゲインコントローラ１００５は、ＣＶＢＳ信号（ａ）と輪郭補正量（ｈ３）とを合成させることによって、輪郭補正を施した輪郭補正信号（ｋ３）を生成している。
【００３４】
以上のように、本発明の第３の実施形態に係る輪郭補正回路３０００によれば、映像画面の端点で発生していたオーバーシュートを改善し、映像境界分の過剰な輪郭補正のない最適な輪郭補正を行い、画像の鮮鋭度を向上させることができる。
【００３５】
なお、本発明の第１〜３の実施形態に係る輪郭補正回路は、図１５に示したテレビシステム１００の画面映像信号処理部１１０に備えられ、表示装置に映し出される映像をより
鮮鋭にする。
【００３６】
なお、本発明の第１〜３の実施形態に係る輪郭補正回路を構成する各機能ブロックは、典型的には集積回路であるＬＳＩ（集積度の違いにより、ＩＣ、システムＬＳＩ、スーパーＬＳＩ、又はウルトラＬＳＩ等と称される）として実現される。これらは、個別に１チップ化されてもよいし、一部又は全部を含むように１チップ化されてもよい。
また、集積回路化の手法は、ＬＳＩに限るものではなく、専用回路又は汎用プロセッサで実現してもよい。また、ＬＳＩ製造後にプログラムすることが可能なＦＰＧＡ（Ｆｉｅｌｄ  Ｐｒｏｇｒａｍｍａｂｌｅ  Ｇａｔｅ  Ａｒｒａｙ）や、ＬＳＩ内部の回路セルの接続や設定を再構成可能なリコンフィギュラブル・プロセッサを利用してもよい。
さらには、半導体技術の進歩又は派生する別の技術により、ＬＳＩに置き換わる集積回路化の技術が登場すれば、当然その技術を用いて機能ブロックの集積化を行ってもよい。バイオ技術の適応等が可能性としてあり得る。
【産業上の利用可能性】
【００３７】
本発明の輪郭補正回路は、映像装置等において、オーバーシュートを改善し高画質等を実現するために有用である。さらに、オーバーシュートを隠すためにオーバースキャン等により画面表示範囲を狭めたり、２画面時に輪郭補正処理領域を狭めたり、オーバーシュートを黒枠で隠す等の処理を行わずにオーバーシュートを改善できる。このため、画面表示範囲を有効に活用する場合等に有用であり、大きな効果が期待できる。
【図面の簡単な説明】
【００３８】
【図１】本発明の第１の実施形態に係る輪郭補正回路１０００を示す図
【図２】輪郭成分直線リミッタ補正処理部１００７における処理を示す図
【図３】本発明の第１の実施形態に係る輪郭補正回路１０００によって、輪郭補正を行った輪郭補正信号（ｋ１）を示す図
【図４】本発明の第１の実施形態に係る輪郭補正回路１１００を示す図
【図５】映像の垂直１ラインを捉えた矩形波（方形波）を示す図
【図６】図１６（ａ）に示した映像信号の輪郭補正範囲について示す図
【図７】本発明の第２の実施形態に係る輪郭補正回路２０００を示す図
【図８】輪郭成分γ曲線リミッタ補正処理部２００７における処理を示す図
【図９】本発明の第２の実施形態に係る輪郭補正回路２０００によって、輪郭補正を行った輪郭補正信号（ｋ２）を示す図
【図１０】輪郭成分γ曲線リミッタ補正処理部２００７における処理を示す図
【図１１】本発明の第２の実施形態に係る輪郭補正回路２０００によって、輪郭補正を行った輪郭補正信号（ｋ２）を示す図
【図１２】本発明の第３の実施形態に係る輪郭補正回路３０００を示す図
【図１３】輪郭成分平均リミッタ補正処理部３００７における処理を示す図
【図１４】本発明の第３の実施形態に係る輪郭補正回路３０００によって、輪郭補正を行った輪郭補正信号（ｋ３）を示す図
【図１５】従来技術におけるテレビのシステム構成の一例を示す図
【図１６】映像信号波形の一例を示す図
【図１７】従来技術における輪郭補正回路２００を示す図
【図１８】輪郭成分抽出部２０１が、入力されたＣＶＢＳ信号から輪郭成分を抽出する様子を示す図
【図１９】比較器２０２が、閾値を超えない振幅の輪郭成分を削除する様子を示す図
【図２０】輪郭補正量算出部２０３が、輪郭成分の振幅量を増幅している様子を示す図
【図２１】領域抽出部２０４が、輪郭補正を行う対象の領域について、輪郭成分を抽出している様子を示す図
【図２２】従来技術における輪郭補正回路２００によって、輪郭補正を行った輪郭補正信号を示す図
【符号の説明】
【００３９】
１００    テレビシステム
１０１    リモコンコード解読部
１０２    イベント管理部
１０３    記憶部
１０４    テレビ制御部
１０５    オンスクリーン表示処理部
１０６    映像合成処理部
１０７    ＶＢＩ信号データ抜き取り部
１０８    画面字幕制御部
１０９    画面チューナー
１１０    画面映像信号処理部
１１１    画面音声信号処理部
２００、１０００、１１００、２０００、３０００    輪郭補正回路
２０１、１００１    輪郭成分抽出部
２０２、１００２    比較器
２０３、１００３    輪郭補正量算出部
２０４、１００４    領域抽出部
２０５、１００５    ゲインコントローラ
１００６    輪郭成分補正範囲判定部
１００７    輪郭成分直線リミッタ補正処理部
１００８    信号セレクタ
２００７    輪郭成分γ曲線リミッタ補正処理部
３００７    輪郭成分平均リミッタ補正処理部
【図１】
0004875647.tif 000002
【図２】
0004875647.tif 000003
【図３】
0004875647.tif 000004
【図４】
0004875647.tif 000005
【図５】
0004875647.tif 000006
【図６】
0004875647.tif 000007
【図７】
0004875647.tif 000008
【図８】
0004875647.tif 000009
【図９】
0004875647.tif 000010
【図１０】
0004875647.tif 000011
【図１１】
0004875647.tif 000012
【図１２】
0004875647.tif 000013
【図１３】
0004875647.tif 000014
【図１４】
0004875647.tif 000015
【図１５】
0004875647.tif 000016
【図１６】
0004875647.tif 000017
【図１７】
0004875647.tif 000018
【図１８】
0004875647.tif 000019
【図１９】
0004875647.tif 000020
【図２０】
0004875647.tif 000021
【図２１】
0004875647.tif 000022
【図２２】
0004875647.tif 000023